(57)【要約】【課題】使用者が所望するデザインに交換が易しいギター用ピックガードを提供することを目的とする。【解決手段】ギターのボディ表面に装着されるピックガードにおいて、前記ピックガードは、透明な材質からなる外側板と；前記外側板との間にデザインシートが嵌められるように前記外側板の内側に位置し、前記ボディ表面に結合される内側板と；を含むギター用ピックガード。【選択図】図６
2011100132.tif 000002
【特許請求の範囲】
【請求項１】
エレキギターのボディ表面に装着されるピックガードにおいて、
音量およびトーンを含む電装品が裏面に固定され、かつ、前記ボディに形成された窪みを覆うと共に前記ボディの表面に装着される内側板と、
前記内側板の表面に配置され絵柄が施されたデザインシートと、
前記デザインシートの表面に配置され、前記デザインシートの前記絵柄を視認可能な透光性を有する樹脂板からなる外側板と、
前記内側板と前記外側板との間に前記デザインシートが配置された状態で、前記内側板、デザインシートおよび外側板を前記ボディに着脱可能に結合する結合手段とを有するギター用ピックガード。
【請求項２】
請求項１において、
前記デザインシートおよび前記外側板には、前記エレキギターのピックアップを露出させるための第１貫通孔と、前記電装品の操作部を外部に突出させるための第２貫通孔とが形成されているギター用ピックガード。
【請求項３】
請求項２において、
前記エレキギターのブリッジを露出させる凹字状の第１の切欠きと、前記エレキギターの指板の基部を露出させる凹字状の第２の切欠きとが前記内側板、デザインシートおよび外側板に形成されているギター用ピックガード。
【請求項４】
ギターのボディ表面に装着されるピックガードにおいて、
前記ピックガードは、
透明な材質からなる外側板と；
前記外側板との間にデザインシートが嵌められるように前記外側板の内側に位置し、前記ボディ表面に結合される内側板と；を含むギター用ピックガード。
【請求項５】
請求項４において、
前記外側板及び内側板のうち少なくともいずれか１つは弾性のあるアクリル材質からなることを特徴とするギター用ピックガード。
【請求項６】
請求項５において、
前記デザインシートは、プラスチックパネル、フィルム、紙のうちいずれか１つであることを特徴とするギター用ピックガード。
【請求項７】
請求項６において、
前記外側板又は内側板は、前記ボディにボルトで着脱可能に結合されることを特徴とするギター用ピックガード。
【請求項８】
請求項７において、
前記ボディは、サウンドホールと、前記サウンドホールの枠を形成するロゼットをさらに含み、
前記外側板は、下部から前記ロゼットに向かう上方に行くほど外側に傾斜した傾斜面が形成されることを特徴とするギター用ピックガード。
【請求項９】
ギターのボディ表面に装着されるピックガードにおいて、
前記ピックガードは、透明な材質からなる外側板と、前記外側板との間に空間部が形成されるように前記外側板と一体に形成され、前記共鳴胴の表面に結合される内側板と；を含み、
前記ピックガードは、前記ボディ表面に着脱可能に結合され、前記空間部にはデザインシートが選択的に嵌められることを特徴とするギター用ピックガード。
【請求項１０】
請求項９において、
前記ボディは、サウンドホールと、前記サウンドホールの枠を形成するロゼットをさらに含み、
前記外側板は、下部から前記ロゼットに向かう上方に行くほど外側に傾斜した傾斜面が形成されることを特徴とするギター用ピックガード。
【請求項１１】
請求項１０において、
前記外側板又は内側板は、前記ボディにボルトで着脱結合されることを特徴とするギター用ピックガード。
【発明の詳細な説明】
【技術分野】
【０００１】
本発明は、ギター用ピックガードに関する。より詳細にはギターのボディ表面に装着されてピック又は爪などにより演奏中にボディ表面にスクラッチが発生するのを防止するギターに装着されるピックガードに関する。
【背景技術】
【０００２】
一般的にギターは、共鳴胴と金属弦により音を出す伝統的な方式の胴ギター又はアコースティックギター（ａｃｏｕｓｔｉｃ ｇｕｉｔａｒ）と、金属弦の振動を電気的振動に変えてスピーカを通じて音が出るようにするエレキギター（ｅｌｅｃｔｒｉｃ ｇｕｉｔａｒ）がある。
【０００３】
図１には、胴ギターの一例に係る正面図が図示されていて、図２には、エレキギターの一例に係る正面図が図示されている。
【０００４】
図１に図示されたとおり、胴ギター（１０１）は、大きく分けて共鳴胴の役割をするボディ（１１０）と、前記ボディ（１１０）から一定長さに延びたネック（指板）（１２０）と、前記ボディ（１１０）とネック（１２０）に連結され、爪又はピックで弾かれる多数の金属弦（１４０）とを含んでなる。
【０００５】
前記ボディ（１１０）には、サウンドホール（１１５）が形成されていて、サウンドホール（１５５）の枠にはロゼット（１３０，Ｒｏｓｅｔｔｅ）が付着され、前記ロゼット（１３０）の下部領域には金属弦（１４０）を演奏する時、爪又はピック（ｐｉｃｋ）により前記ボディ（１１０）の表面にスクラッチが生じるのを防止する円弧形状のピックガード（１）が装着される。
【０００６】
一方、図２に図示されたとおり、エレキギター（１０２）は、前述した胴ギター（１０１）とは異なりボディ（１１１）には共鳴胴が形成されておらず、ボディ（１１１）とネック（１２１）には爪又はピックにより演奏される時、電気的振動に変わりながらスピーカを通じて音が出られるように振動する金属弦（１４１）が連結されている。
【０００７】
同様に前記エレキギター（１０２）のボディ（１１１）表面にもスクラッチを防止するピックガード（２）が装着されている。特にエレキギター（１０２）においてピックガード（２）は、エレキギターの華麗な技巧など演奏特性と審美的側面において胴ギター（１０１）に比べて広い面積を有し、多様な形態にデザインされる。
【先行技術文献】
【特許文献】
【０００８】
【特許文献１】特開２００５−２４１７８３号
【発明の概要】
【発明が解決しようとする課題】
【０００９】
ところで、前述したピックガード（１，２）は、一定の形態のデザインで胴ギター（１０１）又はエレキギター（１０２）のボディ（１１０，１１１）の表面に固定されて市販されるため、破損が発生したり、使用者がデザインに飽きを感じたりしても、不慣れな初心者では交換が難しかった。
【００１０】
したがって、本発明は、このような問題点を解決するために発明したものであり、不慣れな初心者でも使用者が所望するデザインに交換が易しいギター用ピックガードを提供することを目的とする。
【課題を解決するための手段】
【００１１】
前記目的を達成するために本発明は、エレキギターのボディ表面に装着されるピックガードにおいて、音量およびトーンを含む電装品が裏面に固定され、かつ、前記ボディに形成された窪みを覆うと共に前記ボディの表面に装着される内側板と、前記内側板の表面に配置され絵柄が施されたデザインシートと、前記デザインシートの表面に配置され、前記デザインシートの前記絵柄を視認可能な透光性を有する樹脂板からなる外側板と、前記内側板と前記外側板との間に前記デザインシートが配置された状態で、前記内側板、デザインシートおよび外側板を前記ボディに着脱可能に結合する結合手段とを有する。
【発明の効果】
【００１２】
本発明によれば、透明ないし半透明の外側板を通してデザインシートの絵柄が視認できる。
また、外側板と内側板との間のデザインシートを交換することにより、不慣れな初心者でもデザインシートを容易に交換し得る。
また、樹脂板からなる外側板でデザインシートを覆っているので、デザインシートが保護されるから、デザインシートが厚紙のような安価で、しかも、絵柄を鮮明かつ容易に印刷し易い材質を選択することができる。
【図面の簡単な説明】
【００１３】
【図１】図１は、一般的な胴ギターの一実施例の正面図である。
【図２】図２は、一般的エレキギターの一実施例の正面図である。
【図３】図３は、本発明のギター用ピックガードの第１実施例による部分の分解斜視図である。
【図４】図４は、図３のピックガードが胴ギターに装着された状態の部分の横断面図である。
【図５】図５は、本発明のギター用ピックガードの第２実施例による分解斜視図である。
【図６】図６は、本発明のギター用ピックガードの第３実施例による分解斜視図である。
【図７】図７は、同実施例の部分断面図である。
【発明を実施するための形態】
【００１４】
本発明の好ましい実施例では、前記デザインシートおよび前記外側板には、前記エレキギターのピックアップを露出させるための第１貫通孔と、前記電装品の操作部を外部に突出させるための第２貫通孔とが形成されている。
【００１５】
この場合、デザインシートおよび外側板をボディから取り外す際に、ピックアップや電装品をボディや内側板から外すことなく、デザインシートの交換を容易に行うことができる。
【００１６】
本発明の更に好ましい実施例では、前記エレキギターのブリッジを露出させる凹字状の第１の切欠きと、前記エレキギターの指板の基部を露出させる凹字状の第２の切欠きとが前記内側板、デザインシートおよび外側板に形成されている。
【００１７】
この場合、第１および第２の切欠きを形成することで、前記内側板、デザインシートおよび外側板を、ブリッジや指板の周囲まで大きくすることができ、したがって、絵柄の形成される領域を大きくすることができる。
【００１８】
その一方で、ブリッジや指板を避けているので、デザインシートの交換の容易性が損なわれない。
【００１９】
本発明は、ギターのボディ表面に装着されるピックガードにおいて、前記ピックガードは、透明な材質からなる外側板と；前記外側板との間にデザインシートが嵌められるように前記外側板の内側に位置し、前記ボディ表面に結合される内側板と；を含むギター用ピックガードを提供する。
【００２０】
前記外側板及び内側板のうち少なくともいずれか１つは、弾性のあるアクリル材質からなることが好ましい。
【００２１】
前記デザインシートは、プラスチックパネル、フィルム、紙のうちいずれか１つであり得る。
【００２２】
前記外側板又は内側板は、前記ボディにねじで着脱可能に結合され得る。
【００２３】
前記ボディは、サウンドホールと、前記サウンドホールの枠を形成するロゼットをさらに含み、前記外側板は、下部から前記ロゼットに向かう上方に行くほど外側に傾斜した傾斜面が形成されることが好ましい。
【００２４】
一方、本発明は、ギターのボディ表面に装着されるピックガードにおいて、前記ピックガードは、透明な材質からなる外側板と、前記外側板の間に空間部が形成されるように前記外側板と一体に形成され、前記共鳴胴の表面に結合される内側板と；を含み、前記ピックガードは、前記ボディ表面に着脱結合され、前記空間部にはデザインシートが選択的に嵌められることを特徴とするギター用ピックガードを提供する。
【００２５】
前記ボディは、サウンドホールと、前記サウンドホールの枠を形成するロゼットをさらに含み、前記外側板は下部から前記ロゼットに向かう上方に行くほど外側に傾斜した傾斜面が形成され得る。
【００２６】
前記外側板又は内側板は、前記ボディにねじで着脱可能に結合され得る。
【００２７】
本発明のギター用ピックガードによれば、次のような効果がある。
【００２８】
第一に、多様なデザインシートを透明材質の外側板と内側板との間に交換することによって使用者が所望するデザインにピックガードを容易に替えることができ、ボディの表面に着脱されるように付着されるので、破損時にピックガード全体を容易に交換することができる。
【００２９】
第二に、ピックガードに傾斜面を形成することによって金属弦を下から上方向に弾く時、ピックガードからピックと爪が案内されるので、さらにしなやかなギター演奏をすることができる。
【実施例】
【００３０】
以下、本発明の好ましい実施例を添付された図面を参照して詳細に説明する。まず、各図面の構成要素に参照符号を付加するにあたり、同じ構成要素については、たとえ他の図面上に表示されても可能な限り同じ符号を有するようにしていることに留意しなければならない。また、本発明を説明するにあたり、関連した公知構成又は機能に対する具体的な説明が本発明の要旨を曇らし得ると判断される場合には、その詳細な説明は省略する。
【００３１】
図３は、本発明のギター用ピックガードの第１実施例に係る部分の分解斜視図であり、図４は、図３のピックガードが胴ギターに装着された状態の部分の横断面図である。
【００３２】
本実施例のピックガード（１ａ）は、透明な材質からなる外側板（１０ａ）と、前記外側板（１０ａ）との間に空間部（４０）が形成されるように、前記外側板（１０ａ）と一体に形成され、ギター（１０１）のボディ（１１０，図１参照）表面に結合される内側板（２０ａ）を含んでなる。
【００３３】
前記外側板（１０ａ）は、ピックや爪が接触する部分であり、前記内側板（２０ａ）は、ギター（１０１）のボディ（１１０）表面に接触した状態で結合される部分である。前記内側板（２０ａ）は、接着剤、ベルクロ、面ファスナ、ボルトなどでボディ（１１０）表面に着脱式又は固定式の形態で装着され得る。
【００３４】
前記外側板（１０ａ）と内側板（２０ａ）は、同じ形状、例えば図３に図示された形状のように円弧形状を有し得る。同じ形状の外側板（１０ａ）と内側板（２０ａ）は、間に空間部（４０）が形成されるように一方の縁が接合され、前記一方の縁に対向する他方の縁が開口されている。
【００３５】
したがって、前記外側板（１０ａ）と内側板（２０ａ）との間の開口から、つまり、前記他方の縁の開口からデザインシート（３０ａ）が嵌められて空間部（４０）に埋設されることができる。前記デザインシート（３０）が出入りできるようにする外側板（１０ａ）と内側板（２０ａ）との間の開口された部分は、下部、上部、左側、右側のいずれに設けられてもよい。
【００３６】
ここで、前記外側板（１０ａ）は、透明な材質からなっているので、デザインシート（３０）に形成された多様な柄、色合い、模様などが外部から視認できる。
【００３７】
前記外側板（１０ａ）及び内側板（２０ａ）のうち少なくともいずれか１つは、弾性のある透明アクリル材質からなり得る。特に外側板（１０ａ）は、内側に位置するデザインシート（３０）が外部に見えなければならず、爪、ピックなどにより摩耗され得るため、透明アクリル素材は、外側板（１０ａ）に適正な弾性と透明度を提供できるように構成されることが好ましい。
【００３８】
前記デザインシート（３０）は、プラスチックパネル、フィルム、紙のうちいずれか１つであり得、多様な形態の柄、模様、色合いが配合されるように構成され得る。
【００３９】
したがって、使用者は、外側板（１０ａ）と内側板（２０ａ）の空間部（４０）に嵌められるデザインシート（３０）に飽きたり、新しい柄、模様、色合いのデザインシートに交換しようとする場合、外側板（１０ａ）と内側板（２０ａ）との間に開口された部分を通じて所望するデザインシートに容易に交換できるようになる。
【００４０】
もちろん、本発明のピックガードは、前記デザインシートを除き、透明材質の外側板（１０ａ）によって予め、柄、模様、色合いが形成された内側板（２０ａ）が見えるように外側板（１０ａ）と内側板（２０ａ）だけでも構成されることができ、前記外側板（１０ａ）と内側板（２０ａ）が共に透明な材質からなってボディ（１１０）の表面が見えるようにすることもできる。
【００４１】
一方、本実施例のピックガード（１ａ）は、胴ギター（１０１）に付着されることが好ましいが、前記胴ギター（１０１）のボディ（１１０）は、サウンドホール（１１５）と、前記サウンドホール（１１５）の枠を形成するロゼット（１３０）とが具備されることは前述したとおりである（図１参照）。
【００４２】
ここで、本実施例のピックガード（１ａ）において外側板（１０ａ）は、図４に図示されたとおり下部から前記ロゼット（１３０）に向かう上方に行くほど外側に傾斜した傾斜面（１３）が形成されている。前記傾斜面（１３）が形成されたピックガード（１ａ）は、使用者が金属弦（１４０）を下から上方向に弾く時、傾斜面（１３）からピックと爪が再び金属弦（１４０）に近く案内されるので、より一層しなやかなギター演奏ができるようにする。
【００４３】
図５は、本発明のギター用ピックガードの第２実施例による分解斜視図である。
【００４４】
本実施例では、前述した実施例と異なる部分を主に説明し、同じ部分に対する重複した説明は避けることにする。本実施例のピックガード（１ｂ）では、外側板（１０ｂ）と内側板（２０ｂ）は互いに分離されるように構成され、外側板（１０ｂ）と内側板（２０ｂ）との間にデザインシート（３０ｂ）が配置される点は同じである。
【００４５】
しかし、外側板（１０ｂ）と内側板（２０ｂ）は互いに分離されるように構成されるので、ボルト（５０）により共に前記ボディ（１１０）表面に着脱結合され得る。そのため、前記外側板（１０ｂ）と内側板（２０ｂ）には、ボルト（１５０）が挿入される多数のボルト孔（１１ｂ，２１ｂ）が形成され、ボルト（１５０）は外側板（１０ｂ）と内側板（２０ｂ）をボディ（１１０）の表面に固定する。
【００４６】
前記ボルト（１５０）により結合された外側板（１０ｂ）と内側板（２０ｂ）は、前述した実施例のように内部にデザインシート（３０ｂ）が嵌められる空間部が形成され、前記空間部に多様なデザインシートが使用者の嗜好に合うように嵌められ得る。
【００４７】
このとき、デザインシート（３０ｂ）は、外側板（１０ｂ）と内側板（２０ｂ）の大きさより小さく形成されてボルト（１５０）と干渉しないように構成されることができ、外側板（１０ｂ）と内側板（２０ｂ）の大きさと同一に形成され、ボルト（１５０）と共に締結されるように構成されることもできる。
【００４８】
図６は、本発明のギター用ピックガードの第３実施例による分解斜視図である。
【００４９】
本実施例でも前述した実施例と異なる部分を主に説明し、同じ部分に対する重複した説明は避けることにする。
【００５０】
本実施例のピックガード（２ａ）は、エレキギター（１０２，図２参照）に装着されることができるようにデザインされた形態が図示されている。本実施例では、外側板（１０）と内側板（２０）、デザインシート（３０）が互いに概ね同じ形状と大きさを有し、分離されるように構成される。そして、前記外側板（１０）と内側板（２０）及びデザインシート（３０）は、ボルト（１５０）が挿入される多数のボルト孔（１１，２１，３１）が形成されていて、ボルト（１５０）により互いに組み立てられながら、ボディ（１１１）の表面に結合される。
【００５１】
ここで、図２のエレキギターについて説明する。
エレキギター１０２のボディ１１１には、周知のように、指板（ネック）１２１が突出して設けられていると共に、ブリッジ６、ピックアップ７，７および音量やトーンを調節するための操作部８，８が取り付けられている。
なお、ブリッジ６は金属弦を留める複数のサドルを有するもので、ピックアップ７は音を拾う検出部である。
【００５２】
図７に示すように、前記ボディ１１１には周知のように電装品９１を収容する窪み９が形成されている。前記電装品９１としては前記音量やトーンを調節するためのものがあり、操作部（つまみ）８により回転操作される。
なお、電装品９１はリード線９４により他の電装品に接続されている。
【００５３】
前記内側板２０には電装品９１が軸９２およびナット９３を介して裏面に固定され、この内側板２０は、前記窪み９を覆うと共に前記ボディ１１１の表面に装着される。なお、つまみ８は軸９２の先端部に着脱可能に装着（嵌合）されている。
前記デザインシート３０は前記内側板２０の表面に配置され、その表面に絵柄が施されている。前記外側板１０は前記デザインシート３０の表面を完全に覆うように当該表面に配置され、前記デザインシート３０の前記絵柄を視認可能な透光性を有する樹脂板からなる。
【００５４】
ボルト１５０からなる結合手段は、前記内側板２０と前記外側板１０との間に前記デザインシート３０が配置された状態で、つまり、前記内側板２０と前記外側板１０との間でデザインシート３０を挟み付けた状態で、前記内側板２０、デザインシート３０および外側板１０を互いに締結すると共に前記ボディ１１１に着脱可能に結合する。
【００５５】
図６に示すように前記内側板２０、デザインシート３０および前記外側板１０には、それぞれ、前記エレキギターのピックアップ７を露出させるための第１貫通孔２２，３２，１２と、前記電装品９１の操作部８を外部に突出させるための第２貫通孔２２Ｂ，３２Ｂ，１２Ｂとが形成されている。
また、各板１０，２０およびシート３０にはセレクタのレバーが挿通され当該セレクタのレバーが動き得るように、長孔９９が形成されている。
【００５６】
図２の前記エレキギターのブリッジ６を露出させる凹字状の第１の切欠き８１と、前記エレキギターの指板１２１の基部１２５を露出させる凹字状の第２の切欠き８２とが、図６の前記内側板２０、デザインシート３０および外側板１０に形成されている。
【００５７】
本実施例でも前記ピックガード（２ａ）は、前記ボディ（１１１）表面に着脱可能に結合され、前記外側板（１０）と内側板（２０）がなす空間部にデザインシート（３０）が選択的に嵌められることができるので、前述した効果を得ることができる。
【００５８】
以上の説明は、本発明の技術思想を例示的に説明したものに過ぎないものであり、本発明が属する技術分野において通常の知識を有する者であれば、本発明の本質的な特性から外れない範囲において多様な修正及び変形が可能である。したがって、本発明に開示された実施例は、本発明の技術思想を限定するためのものではなく、説明するためのものであり、このような実施例によって本発明の技術思想の範囲が限定されるものではない。本発明の保護範囲は、下の請求範囲によって解釈されなければならず、それと同等な範囲内にあるすべての技術思想は、本発明の権利範囲に含まれるものと解釈されなければならない。
【符号の説明】
【００５９】
１ａ，１ｂ，２，２ａ：ピックガード  
１０，１０ａ，１０ｂ：外側板
２０，２０ａ，２０ｂ：内側板
３０，３０ａ，３０ｂ：デザインシート
１３：傾斜面
１１，１１ｂ，２１，２１ｂ，３１：ボルト孔
５０：ボルト
【図１】
2011100132.tif 000003
【図２】
2011100132.tif 000004
【図３】
2011100132.tif 000005
【図４】
2011100132.tif 000006
【図５】
2011100132.tif 000007
【図６】
2011100132.tif 000008
【図７】
2011100132.tif 000009